(57)【要約】【課題】軽量であると共に強度が強く、安価な補強パイプを提供する。【解決手段】管状のパイプ本体２と、パイプ本体２の側面に設けられ、パイプ本体２内の液状物を外部へ供給可能な複数の供給孔４と、を有する樹脂製の補強パイプ１であって、パイプ本体２の径方向の圧力を支持する複数の補強片３ａ，３ｂ，３ｃ，３ｄと、各補強片３ａ，３ｂ，３ｃ，３ｄに設けられ液状物を通液可能な通液孔５と、を有する補強材３を設けたことを特徴とする補強パイプ１。【選択図】    図１
2004293707.tif 000002
【特許請求の範囲】
【請求項１】
管状のパイプ本体と、パイプ本体を支持し、このパイプ本体の軸方向に剛性を向上させるための補強片と、前記各補強片に設けられ通液可能な通液孔とを有する補強材とから成ることを特徴とする補強パイプ。
【請求項２】
管状のパイプ本体と、前記パイプ本体の側面に設けられ、パイプ本体内の液状物を外部へ供給可能な複数の供給孔とを有する樹脂製の補強パイプであって、パイプ本体を支持し、このパイプ本体の軸方向に剛性を向上させるための複数の補強片と、前記各補強片に設けられ液状物を通液可能な通液孔とを有する補強材を設けたことを特徴とする補強パイプ。
【請求項３】
前記補強材を、断面十字状又は放射状に形成したことを特徴とする請求項１又は２記載の補強パイプ。
【請求項４】
前記補強材を、断面多角形状に形成したことを特徴とする請求項１又は２記載の補強パイプ。
【発明の詳細な説明】
【０００１】
【発明の属する技術分野】
本発明は、補強パイプに関する。
【０００２】
【従来の技術】
一般に、ハウス等で農作物に施肥を行う場合、ハウスの天井等に吊り下げられた補強パイプに液体状の肥液や水、農薬等を供給し、前記補強パイプに設けられた複数の小孔から農作物へ散布していた。ところで、このような補強パイプは、強度が弱いと自重によって撓み、農作物に均一に肥液を供給することができなかったり、補強パイプが途中で折れ曲がって詰まったりするという問題があった。そこで、従来は強度を持たせるために鉄製のパイプが主流であった。また、樹脂製のパイプに強度を付与した構造のものとしては、例えば、実公昭５０−３０８２４号公報に開示されているように、建築用材、土木材等のパイプの内部に断面十字状の補強リブを設けたものがあった。
【０００３】
【特許文献１】
実公昭５０−３０８２４号公報    （第１頁）
【０００４】
【発明が解決しようとする課題】
しかしながら、鉄製のパイプは重いため、ハウスにパイプの施工を行うのが大変であるという問題があった。また、鉄製のものは加工が難しいと共に、コストがかかるという問題もあった。
【０００５】
また、パイプの内部に断面十字状の補強リブを設ける構造のものは、パイプの内部に肥液等を供給することは想定されていないため、このような構造では、補強リブによって内部を流れる肥液等の流れが分断され、残水が管内に残りやすいという問題があった。
【０００６】
そこで、本発明は上記問題点に鑑み、軽量であると共に強度が強く、安価な補強パイプを提供することをその目的とする。
【０００７】
【課題を解決するための手段】
本発明における請求項１記載の補強パイプは、上記目的を達成するために、管状のパイプ本体と、パイプ本体を支持し、このパイプ本体の軸方向に剛性を向上させるための補強片と、前記各補強片に設けられ通液可能な通液孔とを有する補強材とから成ることを特徴とするものである。
【０００８】
本発明における請求項２記載の補強パイプは、上記目的を達成するために、管状のパイプ本体と、前記パイプ本体の側面に設けられ、パイプ本体内の液状物を外部へ供給可能な複数の供給孔とを有する樹脂製の補強パイプであって、パイプ本体を支持し、このパイプ本体の軸方向に剛性を向上させるための複数の補強片と、前記各補強片に設けられ液状物を通液可能な通液孔とを有する補強材を設けたことを特徴とするものである。
【０００９】
本発明における請求項３記載の補強パイプは、上記目的を達成するために、請求項１又は２記載の補強パイプを前提とし、更に、前記補強材を、断面十字状又は放射状に形成したことを特徴とするものである。
【００１０】
本発明における請求項４記載の補強パイプは、上記目的を達成するために、請求項１又は２記載の補強パイプを前提とし、更に、前記補強材を、断面多角形状に形成したことを特徴とするものである。
【００１１】
この発明によれば、パイプが樹脂製であるため、軽量で加工がし易く安価である。また、前記パイプの内部に十字状又は多角形状の補強材を設けるので強度が強く、液状物を供給する際に撓むことがないため、液状物を好適に散布することができる。また、前記補強材の側面に液抜き用の通液孔を設けるので、パイプ内に補強材を設けても液状物がパイプ本体内部に残ることがない。
【００１２】
【発明の実施形態】
以下に、本発明の補強パイプの実施形態について、図面を参照しながら説明する。
【００１３】
補強パイプ１は、例えば図１に示すように、内部を液状物、例えば肥液や水、農薬等を通すことができる管状のパイプ本体２と、パイプ本体２内に貫送されパイプ本体２の撓み等を補強する補強リブ３とから構成され、例えば、合成樹脂製材にて形成される。
【００１４】
パイプ本体２は、例えば図２に示すように、直径が１０〜５０ｍｍの円筒状に形成される。また、パイプ本体２の長手方向の長さは、ハウス等の大きさに応じて任意に決定され、例えば２０〜１００ｍに形成される。
【００１５】
また、パイプ本体２の側面には、長手方向に液状物を散布（供給）可能な供給孔４が等間隔で複数設けられている。
【００１６】
なお、前記説明では、パイプ本体２が円筒状である場合について説明したが、内部に液状物を通すことができるものであればパイプ本体２は円筒状である必要はなく、例えば、断面が楕円状や多角形状等に形成されるものであってもよい。
【００１７】
補強リブ３は、図３に示すように、パイプ本体２に内接し得る大きさの例えば断面十字状に形成され、パイプ本体２の径方向の圧力を補強片３ａ，３ｂ，３ｃ，３ｄによって４方向で支持する。
【００１８】
補強片３ａ，３ｂ，３ｃ，３ｄのパイプ本体２と内接する部分には、パイプ本体の径方向の圧力を確実に支持するために、先端に向かって広がるテーパ状の支持部６が設けられている。この場合、パイプ本体２と補強リブ３とは、支持部６を接着剤等により接合するようにしてもよい。
【００１９】
また、各補強片３ａ，３ｂ，３ｃ，３ｄには、その長手方向に複数の通液孔５が設けられており、内部の液状物の液抜き（液切）をすることができるように構成されている。この通液孔５の配列は液抜きをすることができるものであれば任意でよいが、例えば補強片３ａ，３ｃの通液孔５と、その隣り合う補強片３ｂ，３ｄの通液孔５が千鳥状になるように形成すれば、効率よく液抜き（液切）をすることができる。
【００２０】
なお、補強リブ３の形状は、パイプ本体２の径方向の圧力を支持することができるものであれば任意でよく、例えば、図４（ａ）〜（ｃ）に示すように、断面が三角形や四角形等の多角形状に形成することも可能である。また、補強リブを断面十字状に形成した例を示したがこれ以外でも放射状に形成し、径方向の圧力を支持できる構造であればよい。
【００２１】
次に、本発明の補強パイプ１の使用方法について説明する。
【００２２】
補強パイプ１は、例えばハウス等の天井に吊持され、その一端又は両端から、肥液や水、農薬等の液状物が図示しない供給源からポンプ等の供給手段により供給される。パイプ本体２に肥液が供給されると、パイプ本体２内の液圧が高くなり、供給孔４から農作物等の対象物に肥液等が散布される。この際、補強パイプ１には、肥液等や補強パイプ１自身の重さにより撓もうとする方向に力がかかるが、補強材によりパイプ本体の内部を４方向から支持するため、撓むことがない。
【００２３】
なお、上記実施形態においては、肥液や水、農薬等を散布するためのパイプに用いる場合について説明したが、本発明の補強パイプの用途はこれに限られるものではなく、例えば、建築用材並びに道路等に設置される進入禁止用のポール等に用いることも可能である。これによれば、ポールに強度を持たせつつ、内部に雨水等が侵入しても、通液孔から雨水等を排出することができる。
【００２４】
【発明の効果】
本発明の請求項１ないし３のいずれかに記載の補強パイプであれば、パイプが樹脂製であるため、軽量で加工がし易く安価である。また、前記パイプの内部に十字状又は多角形状の補強材を設けるので強度が強く、液状物を供給する際に撓むことがない。したがって、液状物を好適に散布することができる。また、前記補強材の補強片に液抜き用の通液孔を設けるので、パイプ内に補強材を設けても液状物が内部に残ることがなく、液切れをよくすることができる。
【図面の簡単な説明】
【図１】本発明の一実施例における補強パイプの断面図である。
【図２】本発明の一実施例におけるパイプ本体の斜視図である。
【図３】本発明の一実施例における補強材の斜視図である。
【図４】本発明の他の実施例における補強パイプの正面図である。
【符号の説明】
１  補強パイプ
２  パイプ本体
３  補強リブ（補強材）
３ａ，３ｂ，３ｃ，３ｄ  補強片
４  供給孔
５  通液孔
６  支持部
【図１】
2004293707.tif 000003
【図２】
2004293707.tif 000004
【図３】
2004293707.tif 000005
【図４】
2004293707.tif 000006